(57)【要約】  ドラム洗濯機であって、回転可能な内槽（２８）を含み、内槽（２８）の両端は封止されており、それぞれ回転軸（１０，３２）を介して回転可能に支持装置に装着され、内槽（２８）の側壁には衣類を出し入れするための投入口が開設されており、投入口には開放／閉止可能な密封内蓋（２７）が装着され、前記内槽（２８）の両端の回転軸（１０，３２）のうち少なくとも１つの回転軸（１０）の内部には、給水及び／又は排水のための水流経路が設けられる。内槽（２８）は全体を孔無しの内槽としてもよい。洗浄時には内槽（２８）内に洗浄水が蓄えられ、内槽（２８）が回転することで衣類の洗浄が行われる。ドラムの２つの封止端がそれぞれ回転軸（１０，３２）を介して回転可能に支持装置に装着されることで、ドラムの回転が実現される。また、内槽（２８）の両端の回転軸（１０，３２）のうち少なくとも１つの回転軸（１０）の内部に給水及び／又は排水のための水流経路を設けることで、給排水の問題が解決される。【選択図】図１
2020520260.tif 000002
【特許請求の範囲】
【請求項１】
回転可能な内槽を含み、前記内槽の両端は封止されており、それぞれ回転軸を介して回転可能に支持装置に装着され、前記内槽の側壁には衣類を出し入れするための投入口が開設されており、前記投入口には開放／閉止可能な密封内蓋が装着され、
前記内槽の両端の回転軸のうち少なくとも１つの回転軸の内部には、給水及び／又は排水のための水流経路が設けられることを特徴とするドラム洗濯機。
【請求項２】
駆動装置を更に含み、前記内槽の一端が後槽底となっており、前記後槽底が中心回転軸を介して前記駆動装置に伝動接続され、前記中心回転軸の内部は、水流経路が設けられるよう中空となっており、
前記中心回転軸の内部には前記水流経路が設けられ、前記水流経路がドラム洗濯機の給水装置又は排水装置と連通し、
又は、前記中心回転軸の内部には、前記給水装置、前記排水装置にそれぞれ連通する複数の水流経路が設けられることを特徴とする請求項１に記載のドラム洗濯機。
【請求項３】
前記中心回転軸の一端は前記駆動装置の外部まで伸出し、前記中心回転軸の伸出端が軸受を介して回転可能に連通部材に装着され、前記連通部材の内部には連通経路が備わっており、前記連通経路が水流経路と給水装置／排水装置を連通することを特徴とする請求項２に記載のドラム洗濯機。
【請求項４】
前記排水装置は排水管と自吸ポンプを含み、自吸ポンプの給水口は排水管を介して水流経路と連通し、
前記内槽の後槽底の内壁には、脱水及び／又は排水過程において集水に用いられる集水装置が設けられ、前記集水装置は水流経路と連通し、
脱水及び／又は排水過程において、前記集水装置は内槽内の水を収集し、自吸ポンプの吸引力の働きで排出することを特徴とする請求項２又は３に記載のドラム洗濯機。
【請求項５】
前記集水装置は集水室と集水流路を備え、前記集水室は、前記内槽の後槽底における内壁の中心に設けられるとともに、前記中心回転軸内の水流経路と連通し、前記集水流路は内槽の後槽底の内壁に設けられ、集水流路は一端が集水室と連通し、他端が前記内槽の内壁に向かって延伸し、
好ましくは、前記集水流路を複数含み、それぞれが前記内槽の後槽底の周方向に均一に分布していることを特徴とする請求項４に記載のドラム洗濯機。
【請求項６】
前記集水装置はカバープレートを含み、前記カバープレートが前記内槽の後槽底における内壁に装着され、
前記カバープレートの内部には、集水室と集水流路を形成するよう、封止された中空室が備わっているか、或いは、前記カバープレートの内部には開口した凹溝が備わっており、前記カバープレートと前記内槽の後槽底における内壁との間を密封接続することで凹溝が封止され、集水室と集水流路が形成されることを特徴とする請求項５に記載のドラム洗濯機。
【請求項７】
前記内槽における後槽底と対向する一端は前槽蓋となっており、前記前槽蓋の直径は前記後槽底の直径よりも小さく、前記内槽の側壁は、前記前槽蓋から前記後槽底に向かって上方に傾斜して設けられることを特徴とする請求項２〜６のいずれかに記載のドラム洗濯機。
【請求項８】
更に、本体と、前記内槽と同軸に設けられる外槽を含み、前記外槽は制震装置を介して本体内に装着され、前記内槽は前記外槽の内部に設けられ、洗浄過程では前記内槽の内部に貯水されるため前記内槽と前記外槽との間に水は存在せず、
前記外槽は両端が封止されるとともに、側壁上部における投入口に対応する位置に開口が開設されており、前記開口には、開放／閉止可能な密封外蓋が装着され、前記内槽の両端における回転軸は、回転可能に前記外槽の両端の槽壁に装着されることを特徴とする請求項１〜７のいずれかに記載のドラム洗濯機。
【請求項９】
前記制震装置はアブソーバと制震吊りバネを含み、前記アブソーバは前記外槽の底部側壁の中央部に装着され、前記制震吊りバネは外槽の上部側壁に掛着され、
好ましくは、前記制震吊りバネが外槽の上部側壁における駆動装置寄りの一端に設けられ、前記アブソーバは、２つが対称に前記外槽の底部側壁の両側に装着されることを特徴とする請求項８に記載のドラム洗濯機。
【請求項１０】
前記内槽の後槽底には排水口が開設され、前記排水口にはシールプランジャが装着され、
前記外槽内の底部には、前記シールプランジャに対応して伸縮装置が装着され、前記伸縮装置は、伸出することでシールプランジャを押し開け、前記排水口を開放して排水することが可能であり、前記伸縮装置が退避することで前記シールプランジャが位置回復し、前記排水口が閉止されることを特徴とする請求項８に記載のドラム洗濯機。
【発明の詳細な説明】
【技術分野】
【０００１】
本発明は衣類洗浄機器の技術分野に関し、具体的にはドラム洗濯機に関する。
【背景技術】
【０００２】
従来技術において、一般的に、ドラム洗濯機は互いに嵌装される内槽と外槽を含む。外槽は密封されて貯水に用いられる。また、内槽には衣類が投入され、内槽を回転させることで衣類を打ち付けて洗浄を実施する。且つ、内槽には脱水孔が設けられる。これにより、外槽内の水が脱水孔から内槽に流入して内槽内の衣類を浸漬する。また、内槽内の水は脱水孔から外槽に流出する。且つ、内槽内の衣類の水分は内槽の高速回転時に脱水孔から外槽に排出される。こうして、衣類を洗浄するとの目的が実現される。
【０００３】
しかし、内槽と外槽は互いに嵌装されるため、洗濯機の使用過程で内槽と外槽の間に汚れが溜まりやすい。また、内槽と外槽が互いに嵌装されることから、ユーザは内槽の外壁と外槽の内壁をクリーニングする術がない。よって、洗濯機内部の細菌が増殖し、洗濯機の洗濯効率や衣類洗浄後の清潔度が低下する。
【０００４】
また、上述した従来の洗濯機では、内槽の外部に外槽が嵌装されており、洗濯機の洗浄過程では内槽が回転することで衣類を打ち付けて洗浄する。そのため、洗濯機の洗浄容量は内槽が基準となり、洗濯機の内部空間の利用率が低い。よって、従来をベースにした場合、洗濯機の洗浄容量を拡大することは不可能である。
【０００５】
上記に鑑みて、内槽と外槽を一体化し、内槽を密封容器とすることで水と衣類を投入可能としつつ、回転により衣類を打ち付けて洗浄を実施可能な洗濯機を如何にして設置するか、及び、洗濯機に外槽を設けないか、外槽と洗濯機のハウジングを一体的に設けることで、洗濯機の内槽を拡大して洗濯機の洗浄容量を増大可能とすることが、研究開発の焦点となっている。
【０００６】
しかし、内槽は洗浄水を貯めるだけでなく、回転により槽内の衣類を打ち付けて洗浄を実施する必要がある。そのため、上記洗濯機に適用される給水構造及び／又は排水構造を如何に設置するかもまた喫緊に解決を要する難題となっている。
【発明の概要】
【発明が解決しようとする課題】
【０００７】
上記の技術的欠点に鑑みて、本発明を提案する。
【０００８】
上記の課題を解決するために、本発明はドラム洗濯機を提供する。具体的には、以下の技術方案を採用する。
【課題を解決するための手段】
【０００９】
ドラム洗濯機であって、回転可能な内槽を含み、内槽の両端は封止されており、それぞれ回転軸を介して回転可能に支持装置に装着され、内槽の側壁には衣類を出し入れするための投入口が開設されており、投入口には開放／閉止可能な密封内蓋が装着され、前記内槽の両端の回転軸のうち少なくとも１つの回転軸の内部には、給水及び／又は排水のための水流経路が設けられる。
【００１０】
更に、駆動装置を更に含み、前記内槽の一端が後槽底となっており、後槽底が中心回転軸を介して駆動装置に伝動接続され、中心回転軸の内部は、水流経路が設けられるよう中空となっており、前記中心回転軸の内部には水流経路が設けられ、前記水流経路がドラム洗濯機の給水装置又は排水装置と連通し、又は、前記中心回転軸の内部には、給水装置、排水装置にそれぞれ連通する複数の水流経路が設けられる。
【００１１】
更に、前記中心回転軸の一端は駆動装置の外部まで伸出し、中心回転軸の伸出端が軸受を介して回転可能に連通部材に装着され、前記連通部材の内部には連通経路が備わっており、前記連通経路が水流経路と給水装置／排水装置を連通する。
【００１２】
更に、前記排水装置は排水管と自吸ポンプを含み、自吸ポンプの給水口は排水管を介して水流経路と連通し、前記内槽の後槽底の内壁には、脱水及び／又は排水過程において集水に用いられる集水装置が設けられ、集水装置は水流経路と連通し、脱水及び／又は排水過程において、集水装置は内槽内の水を収集し、自吸ポンプの吸引力の働きで排出する。
【００１３】
更に、前記集水装置は集水室と集水流路を備え、前記集水室は、内槽の後槽底における内壁の中心に設けられるとともに、中心回転軸内の水流経路と連通し、前記集水流路は内槽の後槽底の内壁に設けられ、集水流路は一端が集水室と連通し、他端が内槽の内壁に向かって延伸し、好ましくは、前記集水流路を複数含み、それぞれが内槽の後槽底の周方向に均一に分布している。
【００１４】
更に、前記集水装置はカバープレートを含み、カバープレートが内槽の後槽底における内壁に装着され、前記カバープレートの内部には、集水室と集水流路を形成するよう、封止された中空室が備わっているか、或いは、前記カバープレートの内部には開口した凹溝が備わっており、カバープレートと内槽の後槽底における内壁との間を密封接続することで凹溝が封止され、集水室と集水流路が形成される。
【００１５】
更に、前記内槽における後槽底と対向する一端は前槽蓋となっており、前記前槽蓋の直径は後槽底の直径よりも小さく、前記内槽の側壁は、前槽蓋から後槽底に向かって上方に傾斜して設けられる。
【００１６】
更に、本体と、内槽と同軸に設けられる外槽を含み、外槽は制震装置を介して本体内に装着され、前記内槽は外槽の内部に設けられ、洗浄過程では内槽の内部に貯水されるため、内槽と外槽の間に水は存在せず、前記外槽は両端が封止されるとともに、側壁上部における投入口に対応する位置に開口が開設されており、開口には、開放／閉止可能な密封外蓋が装着され、前記内槽の両端における回転軸は、回転可能に外槽の両端の槽壁に装着される。
【００１７】
更に、前記制震装置はアブソーバと制震吊りバネを含み、前記アブソーバは外槽の底部側壁の中央部に装着され、前記制震吊りバネは外槽の上部側壁に掛着され、好ましくは、前記制震吊りバネが外槽の上部側壁における駆動装置寄りの一端に設けられ、前記アブソーバは、２つが対称に外槽の底部側壁の両側に装着される。
【００１８】
更に、前記内槽の後槽底には排水口が開設され、排水口にはシールプランジャが装着され、前記外槽内の底部にはシールプランジャに対応して伸縮装置が装着され、前記伸縮装置は、伸出することでシールプランジャを押し開け、排水口を開放して排水することが可能であり、伸縮装置が退避することでシールプランジャが位置回復し、排水口が閉止される。
【発明の効果】
【００１９】
本発明におけるドラム洗濯機は内槽の前後端が封止されており、投入口が内槽の側壁に開設されている。これにより、内槽全体を孔無しの内槽とすることが可能である。洗浄時には内槽の内部に洗浄水が蓄えられ、内槽が回転することで衣類の洗浄が行われる。このように、従来のドラム洗濯機における外槽を省略することで、本体サイズを変化させることなく内槽の容積を増加させ、ドラム洗濯機の容量を拡大する。また、内槽内に貯水するため、従来の洗濯機では洗浄水が内槽と外槽の間に進入し、時間の経過とともに内槽の外壁と外槽の内壁が「内部汚染」されやすいとの課題が解決される。
【００２０】
本発明では、回転軸を介してドラムの両封止端をそれぞれ回転可能に支持装置に装着することで、ドラムの回転を実現している。また、内槽の両端の回転軸のうち少なくとも１つの回転軸の内部に給水及び／又は排水のための水流経路を設けることで、給排水の問題を解決している。
【図面の簡単な説明】
【００２１】
【図１】図１は、本発明の実施例におけるドラム洗濯機の正面図である。
【図２】図２は、本発明の実施例にかかるドラム洗濯機の図１におけるＡ部分の拡大図である。
【図３】図３は、本発明の実施例におけるドラム洗濯機の左側面図である。
【発明を実施するための形態】
【００２２】
以下に、図面を組み合わせて、本発明におけるドラム洗濯機につき詳述する。
【００２３】
図１及び図２に示すように、本実施例のドラム洗濯機は、回転可能な内槽２８を含む。
内槽２８の両端は封止されており、それぞれ回転軸を介して回転可能に支持装置に装着される。内槽２８の側壁には、衣類を出し入れするための投入口が開設されており、投入口には開放／閉止可能な密封内蓋２７が装着されている。前記内槽２８の両端の回転軸のうち少なくとも１つの回転軸の内部には、給水及び／又は排水のための水流経路が設けられる。
【００２４】
本実施例の内槽２８は、槽壁に脱水孔が開設されない孔無しの内槽である。洗浄時には、内槽２８内に洗浄水が蓄えられ、内槽２８が回転することで衣類の洗浄が行われる。本発明のドラム洗濯機は外槽を省略可能である。これによれば、本体サイズを変化させることなく内槽２８の容積を増加させ、ドラム洗濯機の容量を拡大させられる。また、内槽２８の内部に貯水するため、従来の洗濯機では洗浄水が内槽と外槽の間に進入し、時間の経過とともに内槽の外壁と外槽の内壁が「内部汚染」されやすいとの課題が解決される。
【００２５】
本実施例におけるドラム洗濯機の内槽２８は、水平軸線を中心に回転する。従来の内槽２８は前端に投入口が開設されるため、従来の方式では外槽を密封することで洗浄水の溢流を防止する。これに対し、本発明におけるドラム洗濯機では、内槽２８の回転方式は変えないが、両端を封止して投入口を内槽２８の側壁に開設するよう変更している。この場合には投入口を密封するだけでよいため、密封構造が簡略化される。
【００２６】
このほか、本実施例では、回転軸を介してドラムの両端をそれぞれ回転可能に支持装置に装着することでドラムの回転を実現する。また、内槽２８の両端の回転軸のうち少なくとも１つの回転軸の内部に給水及び／又は排水のための水流経路を設けることで給排水の問題を解決する。
【００２７】
本発明の好ましい実施形態として、本実施例のドラム洗濯機は駆動装置８を更に含む。前記内槽２８の一端は後槽底となっており、後槽底が中心回転軸１０を介して駆動装置８に伝動接続される。中心回転軸１０の内部は、水流経路が設けられるよう中空となっている。本実施例では水流経路を中心回転軸１０の内部に設けている。これにより、洗濯機の給水又は排水がこの水流経路から出入り可能となるため、内槽の回転が給排水に影響することがない。
【００２８】
好ましくは、本実施例で記載する中心回転軸１０の内部に水流経路が設けられ、前記水流経路がドラム洗濯機の給水装置又は排水装置と連通する。本実施例における中心回転軸１０の内部の水流経路は、単一の給水又は排水機能のみを実現可能である。
【００２９】
又は、本実施例で記載する中心回転軸１０の内部には、給水装置、排水装置にそれぞれ連通する複数の水流経路が設けられる。これにより、中心回転軸１０の内部の水流経路が給排水を同時に実現可能となる。
【００３０】
本発明の好ましい実施形態として、前記中心回転軸１０の一端は駆動装置８の外部まで伸出し、中心回転軸１０の伸出端が軸受を介して回転可能に連通部材９に装着される。前記連通部材９の内部には連通経路が備わっており、前記連通経路が水流経路と給水装置／排水装置を連通する。
【００３１】
本発明では、中心回転軸１０内の水流経路によって排水を実現する場合を例に詳細に説明する。本実施例の中心回転軸１０内の水流経路は、排水機能を実現するために排水装置と連通する。具体的に、本実施例で記載する排水装置は、排水管１４と自吸ポンプ１３を含む。自吸ポンプ１３の給水口は、排水管１４を介して中心回転軸１０内の水流経路と連通する。
【００３２】
中心回転軸１０は、内槽の最低位置ではなく、内槽の槽底の中心位置に配置される。そのため、内槽内の洗浄水のより良好な排出を保証するために、前記内槽２８の後槽底の内壁には、脱水及び／又は排水過程において集水に用いられる集水装置が設けられる。集水装置は水流経路と連通する。脱水及び／又は排水過程において、集水装置は内槽内の水を収集し、自吸ポンプ１３の吸引力の働きで排出する。
【００３３】
具体的に、本実施例で記載する集水装置は、集水室１１と集水流路６を備える。前記集水室１１は、内槽２８の後槽底における内壁の中心に設けられるとともに、中心回転軸１０内の水流経路と連通する。前記集水流路６は内槽の後槽底の内壁に設けられる。集水流路６は一端が集水室１１と連通し、他端が内槽２８の内壁に向かって延伸している。
【００３４】
好ましくは、前記集水流路６を複数含み、それぞれが内槽２８の後槽底の周方向に均一に分布している。
【００３５】
集水装置と連携して集水するよう、本実施例の内槽２８における後槽底と対向する一端は前槽蓋となっている。前記前槽蓋の直径は後槽底の直径よりも小さい。前記内槽２８の側壁は、前槽蓋から後槽底に向かって上方に傾斜して設けられる。
【００３６】
集水装置による集水効果を実現するためには、更に内槽２８の回転と連携する必要がある。内槽２８が回転すると、洗浄水が遠心分離の作用で内槽２８の側壁表面に凝集する。しかし、側壁は傾斜構造となっているため、洗浄水は内槽２８の傾斜した側壁に沿って前槽蓋から後槽底へと凝集し、当該箇所に設けられた集水流路６から集水室内へと案内される。
【００３７】
そのため、本実施例におけるドラム洗濯機の脱水過程では、内槽２８の高速回転を利用して集水と排水を実現する。洗浄過程のあとの排水については排水プログラムを追加して、内槽２８の高速回転を向上させることで排水を実現してもよい。
【００３８】
本実施例の好ましい実施形態として、本実施例で記載する集水装置はカバープレートを含み、カバープレートが内槽の後槽底における内壁に装着される。前記カバープレートの内部には、集水室１１と集水流路６を形成するよう、封止された中空室が備わっている。或いは、前記カバープレートの内部には開口した凹溝が備わっている。カバープレートと内槽の後槽底における内壁との間を密封接続することで凹溝が封止され、集水室１１と集水流路６が形成される。
【００３９】
本実施例の好ましい実施形態として、前記集水装置の上面には、内槽内の底部から突出する突出構造が構成されている。突出構造は洗浄時に洗浄物を上昇させることが可能であり、これにより洗濯効果が向上する。
【００４０】
本実施例におけるドラム洗濯機は、更に、本体４と、内槽２８と同軸に設けられる外槽５を含む。外槽５は制震装置を介して本体４内に装着され、前記内槽２８は外槽５の内部に設けられる。洗浄過程では内槽２８の内部に貯水されるため、内槽２８と外槽５の間に水は存在しない。前記外槽５は両端が封止されるとともに、側壁上部における投入口に対応する位置に開口が開設されている。また、開口には、開放／閉止可能な密封外蓋１が装着されている。前記内槽２８の両端における回転軸は、回転可能に外槽５の両端の槽壁に装着される。
【００４１】
本実施例の外槽５は洗浄過程において貯水には用いられず、主としてドラム洗濯機の動作の安定性を確保すべく、制震装置により内槽２８の制震を実現する。
【００４２】
更に、本実施例で記載する制震装置は、アブソーバ２２と制震吊りバネ３を含む。前記アブソーバ２２は外槽５の底部側壁の中央部に装着され、前記制震吊りバネ３は外槽５の上部側壁に掛着される。
【００４３】
好ましくは、前記制震吊りバネ３が外槽５の上部側壁における駆動装置寄りの一端に設けられる。また、前記アブソーバ２２は、２つが対称に外槽５の底部側壁の両側に装着される。
【００４４】
本実施例の好ましい実施形態として、前記中心回転軸１０の排水方式は内槽２８の高速回転と連携しなければ実現不可能である。そこで、本実施例では外槽５を設けたうえで、洗浄過程での排水に対し相応の排水構造を設ける。
【００４５】
具体的に、本実施例における前記内槽２８の後槽底には排水口３０が開設されており、排水口３０にシールプランジャ１７が装着される。前記外槽内の底部には、シールプランジャ１７に対応して伸縮装置が装着される。前記伸縮装置は、伸出することでシールプランジャ１７を押し開け、排水口３０を開放して排水することが可能である。また、伸縮装置が退避することでシールプランジャ１７が位置回復し、排水口３０が閉止される。
【００４６】
よって、本実施例のドラム洗濯機は、洗浄過程における排水を、伸縮装置を制御して排水口３０を開放することで実現可能である。また、脱水過程では、中心回転軸１０の内部における水流経路により排水可能である。
【００４７】
更に、本実施例の排水口３０の内部には、シールプランジャ１７に接続される戻しバネ１８が更に設けられている。伸縮装置が退避することで、シールプランジャ１７は戻しバネ１８の弾性作用により位置回復する。
【００４８】
本実施例における伸縮装置は、モータにより回転する偏心カム１５と、偏心カム１５に回転可能に接続される伸縮ロッド１６を含む。偏心カム１５が回転すると伸縮ロッド１６が上方に運動し、シールプランジャ１７を押し開くことで排水口３０が開放されて排水される。
【００４９】
本実施例の外槽５における内槽の排水口３０に対応する位置には、外槽排水口が設けられている。外槽排水口は主排水管２０に接続される。また、外槽排水口の一方の側には堰止リブ２１が設けられる。堰止リブ２１は洗浄水を堰止リブ２１と外槽底の間に堰き止めることで、洗浄水が外槽５の内表面に過剰に接触するとの事態を回避する。これにより、外槽５の内壁に対する汚れの蓄積が排除される。
【００５０】
本実施例の排水管１４は主排水管２０と連通する。また、主排水管２０には排水弁１９が接続される。
【００５１】
本実施例のドラム洗濯機は、前記内槽２８の前端における回転軸が外槽５の前端を貫通して支持体２５に回転可能に装着される。また、内槽２８の後端の回転軸は外槽５の後端を貫通して駆動装置８に伝動接続される。
【００５２】
本実施例の内槽２８の前端には伝動回転軸３２が固定接続される。伝動回転軸３２は外槽５の前端を貫通する。伝動回転軸３２と外槽の前端の間には第１軸受２４が設けられ、第１回転軸３２と支持体２５の間には第２軸受２６が設けられる。また、中心回転軸１０と外槽５の後端には第３軸受１２が設けられ、中心回転軸１０と連通部材９の間には第４軸受３１が設けられる。
【００５３】
本実施例のドラム洗濯機の内部には、更に、給水タンク２９と、給水タンク２９に接続される給水管２が設けられている。中心回転軸１０内の水流経路から給水する際には、給水管２と中心回転軸１０内の水流経路が連通する。
【００５４】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００５５】
１    密封外蓋
２    給水管
３    制震吊りバネ
４    本体
５    外槽
６    集水流路
８    駆動装置
９    連通部材
１０  中心回転軸
１１  集水室
１２  第３軸受
１３  自吸ポンプ
１４  排水管
１５  偏心カム
１６  伸縮ロッド
１７  シールプランジャ
１８  戻しバネ
１９  排水弁
２０  主排水管
２１  堰止リブ
２２  アブソーバ
２４  第１軸受
２５  支持体
２６  第２軸受
２７  密封内蓋
２９  給水タンク
３０  排水口
３１  第４軸受
３２  伝動回転軸
【図１】
2020520260.tif 000003
【図２】
2020520260.tif 000004
【図３】
2020520260.tif 000005
【国際調査報告】
2020520260.tif 000006
2020520260.tif 000007
2020520260.tif 000008
2020520260.tif 000009